(57)【要約】  本発明は、簡便に調整され得るシート用拘束手段に関する。よって、本発明は、１個又は複数のストラップを有するシートを含むシートアセンブリの一態様を構成する。ストラップは、アセンブリ上に配置される一次締付け点と、１個又は複数の孔と、少なくとも１個の締付け部材を有しており、締付け部材は、ストラップの二次締付け点を形成するために、少なくとも１個のストラップ及び少なくとも１個の孔と協働可能である。第２態様において、本発明は、子供用安全シートの５点ハーネスをからなり、少なくとも１個のストラップ及び少なくとも１個の締付部材を含み、締付け部材は、シートに取り外し可能に固定されるために、シートに設けられた孔と協働するべく、ストラップに沿って移動可能である。
2008542107.tif 000002
【特許請求の範囲】
【請求項１】
シートアセンブリであって、
ａ）下部、背部及び１個以上のストラップを有するシートと、該ストラップは該アセンブリに配置される一次引締め点を有しており、
ｂ）前記下部及び一次引締め点の間に配置される１個以上の孔と、
ｃ）少なくとも１個の引締め部材とを含み、
前記引締め部材は、前記ストラップの二次引締め点を形成するために、前記ストラップの少なくとも１個及び前記孔の少なくとも１個と協働可能である
ことを特徴とするシートアセンブリ。
【請求項２】
前記引締め部材は、乗員対向側から前記シートに固定可能であることを特徴とする請求項１に記載のシートアセンブリ。
【請求項３】
前記引締め部材は補助ストラップを含むことを特徴とする請求項１又は２に記載のシートアセンブリ。
【請求項４】
前記引締め部材は更に、
ｉ）前記ストラップの少なくとも１個と取り外し可能に係合するように適応された第１部分と、
ｉｉ）前記孔の少なくとも１個と取り外し可能に係合するように適応された第２部分とを含むことを特徴とする請求項１乃至３のいずれか１項に記載のシートアセンブリ。
【請求項５】
前記補助ストラップは前記第１部分に取り付けられることを特徴とする請求項３に従属する時の請求項４に記載のシートアセンブリ。
【請求項６】
前記補助ストラップは、前記第１部分に取り外し可能に取り付けられることを特徴とする請求項５に記載のシートアセンブリ。
【請求項７】
前記第１部分は、前記少なくとも１個のストラップが通過する孔を含むことを特徴とする請求項４乃至６のいずれか１項に記載のシートアセンブリ。
【請求項８】
前記第１部分は更に、平坦な引締め面を含むことを特徴とする請求項４乃至７のいずれか１項に記載のシートアセンブリ。
【請求項９】
前記第２部分は、１個以上の孔を第１配向で通過可能であると共に、該孔を第２配向で通過不能であるように形状及び寸法が決められた１個以上の一体化フランジを含むことを特徴とする請求項４乃至８のいずれか１項に記載のシートアセンブリ。
【請求項１０】
前記１個以上の孔は、前記引締め部材の第２部分が、第２配向へ回転させられると共に、該孔の通過及び該引締め部材の更なる回転が不可能である位置へ移動させられる前に、第１配向で通過するように、形状及び寸法が決められることを特徴とする請求項９に記載のシートアセンブリ。
【請求項１１】
前記アセンブリは更に、前記少なくとも１個のストラップに巻回される綿入りスリーブを含むことを特徴とする請求項１乃至１０のいずれか１項に記載のシートアセンブリ。
【請求項１２】
前記二次引締め点は、前記一次引締め点の下方に配置されることを特徴とする請求項１乃至１１のいずれか１項に記載のシートアセンブリ。
【請求項１３】
前記二次引締め点は、前記一次引締め点と実質的に同じ垂直面に配置されることを特徴とする請求項１乃至１２のいずれか１項に記載のシートアセンブリ。
【請求項１４】
前記シートアセンブリは、車両の既存のシートにしっかりと且つ取り外しできるように取り付けられる子供用安全シートであることを特徴とする請求項１乃至１３のいずれか１項に記載のシートアセンブリ。
【請求項１５】
前記シートは、複数の独立したシートを設けるように分割されることを特徴とする請求項１乃至１４のいずれか１項に記載のシートアセンブリ。
【請求項１６】
子供用安全シート用５点ハーネスであって、該ハーネスは少なくとも１個のストラップ及び少なくとも１個の引締め部材を含み、該引締め部材は該少なくとも１個のストラップと係合する引締め面を有し、該引締め部材は、シートに取り外し可能に固定されるように、該シートに設けられた孔と協働するべく、該ストラップに沿って移動可能であることを特徴とする５点ハーネス。
【請求項１７】
前記引締め部材は、
ｉ）前記（複数の）ストラップの少なくとも１個と取り外し可能に係合するように適応された第１部分と、
ｉｉ）前記（複数の）孔の少なくとも１個と取り外し可能に係合するように適応された第２部分と
を含むことを特徴とする請求項１６に記載の５点ハーネス。
【請求項１８】
前記引締め部材は更に、
ｉｉｉ）前記第１部分に取り付けられる補助ストラップ
を含むことを特徴とする請求項１７に記載の５点ハーネス。
【請求項１９】
前記補助ストラップは、前記第１部分に取り外しできるように取り付けられることを特徴とする請求項１８に記載の５点ハーネス。
【請求項２０】
前記第１部分は、前記少なくとも１個のストラップが通過する孔を含むことを特徴とする請求項１７乃至１９のいずれか１項に記載の５点ハーネス。
【請求項２１】
前記第１部分は更に、平坦な引締め面を含むことを特徴とする請求項１７乃至２０のいずれか１項に記載の５点ハーネス。
【請求項２２】
前記第２部分は、第１配向で前記１個以上の孔を通過できると共に、第２配向で該孔を通過不能であるように、形状及び寸法が決められた１個以上の一体化フランジを含むことを特徴とする請求項１７乃至２１のいずれか１項に記載の５点ハーネス。
【請求項２３】
前記シートに設けられた前記１個以上の孔は、前記引締め部材の前記第２部分が、第２配向に回転させられると共に、該孔の通過及び該引締め部材の更なる回転が不可能である位置へ移動させられる前に、第１配向で通過するように、形状及び寸法が決められることを特徴とする請求項１７乃至２２のいずれか１項に記載の５点ハーネス。
【請求項２４】
前記ハーネスは更に、前記ストラップに巻回された綿入りスリーブを含むことを特徴とする請求項１６乃至２３のいずれか１項に記載の５点ハーネス。
【発明の詳細な説明】
【技術分野】
【０００１】
本発明は拘束体に関し、とりわけ、排他的ではないが、シート用拘束手段に関する。本発明は特に、簡便に調整され得る高速手段を提供することに関係する。
【背景技術】
【０００２】
遊園地の乗物、自動車のシート、子供用ハイチェア、又は自動車内の既存のシートに取り外せるように固定され得る子供用安全シート等、拘束手段を備えたシートには幾つかの使用方法がある。これらの用途全てが、大きさが異なる個体を収容できる拘束装置を必要とする。拘束装置は、しばしば遊園地の乗物の場合のように、硬質のアセンブリからなるが、本発明は特に、ストラップ型の拘束ハーネスに関係する。
【０００３】
ストラップ型拘束ハーネスの有効性は、ストラップの数、固定点間のストラップ長さ、及び乗員と相対的な固定位置の数及び姿勢に大きく左右される。上記の用途のためのハーネスの構成は、拘束者の快適性、並びに拘束者のタイプ又は性質、例えば子供、大人、障害者等を考慮しなければならず、この快適性は、これらの要素が拘束有効性に基づいて設計される時に、悪影響を受けるかもしれない。
【０００４】
従来のハーネスストラップは一般的に、シートと相対的な固定位置で、又はシート自体で締付け、またストラップの長さ調整手段が設けられることが多い。この装置は通常、自動車の幾つかの後部座席の場合のように、１個のハーネスストラップのみがある時に適切である。しかしながら、自動車の前部座席は一般的に、乗員の膝を横切るストラップと、しばしばショルダーストラップと呼ばれる乗員の腹部を横切り斜めに延在する別のストラップが嵌合される。ショルダーストラップは、乗員の骨盤の一方側の固定点から、その乗員の腹部を横切り、シートから離れた引締め又は固定位置と反対側の肩の上方に斜めに延出する。ハーネスの有効性及び乗員の快適性はいずれも、乗員の身体と相対的なストラップの経路に左右され、これは、ストラップのいずれかの端部における固定又は引締め点によって限定される。従って、固定及び／又は引締め位置に調整可能性をもたらすと有利である。
【０００５】
調整可能な引締め点を備えたハーネスストラップ装置は、特に自動車の安全ベルトにおいて知られている。例えば、前のシートの乗員を拘束するシートベルトアセンブリは、肩ストラップ引締め位置の高さを変更する調整手段を含むことが多い。調整手段は一般的に、車両のフレームに固定されるが、シートとは別個である。その結果、肩ストラップの調節性は、大きさが異なる個体を快適に収容するために、シートの寸法及び形状によって限定される。
【０００６】
従って、本発明の目的は、シートの形状寸法によって限定されないハーネスストラップの引締め点を簡単に調節する単純な手段を備えたシートを提供することにある。
本発明は特に、拘束ストラップが嵌合されるチャイルドシートに有利である。英国で販売されているチャイルドシート、補助いす、又は補助クションは、特定の設計ガイドラインをもたらす拘束体の国連規則Ｒ４４．０３又は後のＲ４４．０４に従わなければならない。今日最も一般的な子供用安全シートの拘束システムは、５点ハーネスとして知られている。５個のストラップは、チャイルドシートの異なる位置に固定され或いは引締められ、且つ子供の身体を横切り、中心固定具まで延出する。固定又は引締め位置は、子供の各々の肩の上方、子供の骨盤のいずれか側、及び子供の脚の間にあり、また拘束有効性を最大限にするために、可能な限り子供の身体の近くにあるべきである。
【０００７】
従って、ハーネスストラップの固定又は引締め位置を調整する手段を備えた子供用安全シートを提供するならば有利である。この装置は、シートの背もたれが異なる位置に複数の長穴を含み、ストラップがこの長穴を通り延出するように知られている。各ストラップは、一端に硬質フランジを備え、この硬質フランジは、ストラップを固定するためにシートの後ろ側と協働し、或いは、各ストラップは、シートの後ろ側で中心固定具まで延出し、ストラップの一部は前記長穴の一方の縁を締め付ける。このような装置は、特許文献１に記載されており、肩ストラップの締付け点は、シートの背もたれに沿った複数の孔と協働可能であることにより、調整できる。同様な装置は、特許文献２に開示されている。
【０００８】
この解決法は、時々の調整には適しているが、頻繁な調整が必要とされるならば都合が悪い。なぜならば、調整を行うために、安全シートの後ろ側への接近が必要とされるからである。また、この装置は特に、複数の独立した子供用安全シートを供給するために分割されるシートを開示する特許文献３（この出願の開示全体は、ここに組み入れられる）に記載されているようなチャイルドシートの場合には都合が悪い。
【特許文献１】欧州特許第０５０１６２３号明細書
【特許文献２】欧州特許第１３３８４８５号明細書
【特許文献３】国際公開ＷＯ９７／０９１９４号パンフレット
【発明の開示】
【発明が解決しようとする課題】
【０００９】
従って、本発明の別の目的は、乗員対向側からハーネスストラップの締付け点を簡単に調整する手段を備えたシートを提供することにある。
【課題を解決するための手段】
【００１０】
本発明の第１態様によれば、
ａ）下部、背部及び１個以上のストラップを有するシートと、ストラップはアセンブリに配置される一次締付け点を有しており、
ｂ）下部及び一次締付け点の間に配置される１個以上の孔と、
ｃ）少なくとも１個の締付け部材とを含み、
締付け部材は、ストラップの二次締付け点を形成するために、少なくとも１個のストラップ及び少なくとも１個の孔と協働可能である
シートアセンブリが提供される。
【００１１】
好適には、締付け部材は、乗員対向側からシートに固定可能である。
好適には、締付け部材は補助ストラップを含む。
好適には、締付け部材は更に、
ｉ）ストラップの少なくとも１個と取り外し可能に係合するように適応された第１部分と、
ｉｉ）孔の少なくとも１個と取り外し可能に係合するように適応された第２部分とを含む。
【００１２】
好適には、補助ストラップは第１部分に取り付けられる。
好適には、補助ストラップは第１部分に取り外し可能に取り付けられる。
好適には、第１部分は、少なくとも１個のストラップが通過する孔を含む。
【００１３】
好適には、第１部分は平坦な締付け面を含む。
好適には、第２部分は、第１配向において１個以上の孔を通過可能であると共に、第２配向においてこの孔を通過不能であるように、形状及び寸法が決められた１個以上の一体化フランジを含む。
【００１４】
好適には、１個以上の孔は、締付け部材の第２部分が、第２配向に回転させられると共に、孔の通過及び締付け部材の更なる回転が不可能である位置へ移動させられる前に、第１配向で通過するように、形状及び寸法が決められる。
【００１５】
好適には、アセンブリは更に、少なくとも１個のストラップに巻回される綿入りスリーブを含む。
好適には、二次締付け点は、一次締付け点よりも下方に配置される。
【００１６】
好適には、二次締付け点は、一次締付け点と実質的に同じ垂直面に配置される。
好適には、シートアセンブリは、車両の既存のシートにしっかりと且つ取り外し可能に取り付けられる子供用安全シートである。
【００１７】
好適には、シートは、複数の独立したシートを提供するために分割される。
本発明の別の態様によれば、子供用安全シートの５点ハーネスが提供される。このハーネスは、少なくとも１個のストラップ及び少なくとも１個の締付け部材を含む。締付け部材は、少なくとも１個のストラップと係合するための締付け面を有する。締付け部材は、シートに取り外し可能に固定されるべく、シートの孔と協働可能であるように、ストラップに沿って移動可能である。
【００１８】
好適には、締付け部材は、
ｉ）ストラップの少なくとも１個と取り外し可能に係合するように適応された第１部分と、
ｉｉ）孔の少なくとも１個と取り外し可能に係合するように適応された第２部分とを含む。
【００１９】
好適には、締付け部材は更に、
ｉｉｉ）第１部分に取り付けられる補助ストラップを含む。
好適には、補助ストラップは第１部分に取り外し可能に取り付けられる。
【００２０】
好適には、第１部分は、少なくとも１個のストラップが通過する孔を含む。
好適には、第１部分は更に平坦な締付け面を含む。
好適には、第２部分は、第１配向において１個以上の孔を通過可能であると共に、第２配向においてこの孔を通過不能であるように、形状及び寸法が決められた１個以上の一体化フランジを含む。
【００２１】
好適には、シートに設けられた１個以上の孔は、締付け部材の第２部分が、第２配向へ回転させられると共に、孔の通過及び締付け部材の更なる回転が不能である位置へ移動させられる前に、第１配向で通過するように、形状及び寸法が決められる。
【００２２】
好適には、ハーネスは更に、ストラップに巻回される綿入りスリーブを含む。
本発明の実施形態を、添付の図面を参照しつつ、一例として以下に説明する。
【発明を実施するための最良の形態】
【００２３】
図１を参照すると、ディバイダ１００ａ，１００ｂ・・・によって複数の子供着座部１ａ，１ｂ・・・に分けられた子供用安全シート１が示されている。各着座部１ａ，１ｂ・・・は、背部２及び下部３を有し、また背部２には長穴４が設けられると共に、下部３には長穴５及び６が設けられる。２列１０ａ及び１０ｂの対をなす固定長穴１０’，１０’’が背部２に設けられており、各列１０ａ及び１０ｂは、長穴４から下部３へ向けて延出し、各連続固定長穴は、所定距離だけ次の長穴から垂直方向に間隔があけられている。列１０ａ及び１０ｂの間の距離、並びに各列１０ａ及び１０ｂにおける連続固定長穴間の距
離は、以下に説明するように、寸法が異なる乗員の肩に対応して一対の固定長穴が設けられるように構成される。
【００２４】
図１に示すように、第１着座部１ａには、ストラップ７，８及び９を含むこれまでの５点安全ハーネスが備えられており、ストラップ７，８及び９は夫々、長穴４，５及び６に受け入れられる。ストラップ７，８及び９の端部は、固定具１９によって保持される。図２は、引締め部材１１を示しており、引締め部材１１は、反対方向に延出するフランジ１３を含むＴ字形部材が連結される矩形部分１２を含む。引締め部材１１は鍛鋼から作られると共に、かなりの力に耐え得る。
【００２５】
再度図１に戻り、２個の引締め部材１は、一対の固定長穴に嵌め入れられた状態で示されている。
図３には、補強部材１４を含む固定長穴が示されており、補強部材１４はシート背部２に固定されると共に、シート背部２に形成された穴１５を通り表に出される。補強部材１４は独立した板を含み、或いは一般的な裏当板から形成された一群に一体化され、例えばステンレス鋼等の高強度材料から作られる。
【００２６】
図３及び図４に示すように、各補強部材１４は垂直固定長穴１０’，１０’’及び水平凹部１６を備えるように形成される。固定長穴１０’，１０’’は、フランジ１３が固定長穴１０’，１０’’と垂直に整列させられた時に、フランジ１３が通過できるように寸法が決められる。凹部１６の寸法及び形状は、引締め荷重が付与された時に、引締め部材１１を配置し且つ固定するように、フランジ１３と対応する。
【００２７】
ハーネスストラップ７は長穴４から、引締め部材１１を通り延出する。
図５は好適な実施形態を示しており、好適には胸パッド１８を備えた補助ストラップ１７が設けられる。補助ストラップ１７及び胸パッド１８の重さにより、シート１が空けられた時に、引締め部材のフランジ１３と凹部１６の相対移動を阻止するために、フランジ１３は
凹部１６に予荷重を与える。
【００２８】
補助ストラップ１７は、引締め部材１１の矩形部分１２に恒久的に或いは取り外し可能に固定される。胸パッド１８は好適には、補助ストラップ１７の周りに巻回される綿入り材料からなると共に、ハーネスストラップ７及び補助ストラップ１７が互いに連続するように、ハーネスストラップ７が通過させられ得るべく、十分に緩められている。本装置はまた、引締め部材１１の向きがハーネスストラップ７の向きと一致するのを保証する手段が設けられる。
【００２９】
図６は、引締め部材１１の好適な実施形態を示しており、引締め部材１１は、シャンク１２ａ及び反対方向に延出するフランジ１３を含むＴ字形部材が連結される矩形部分１２を含む。引締め部材１１は鍛鋼から作られると共に、かなりの力に耐え得る。シャンク１２ａは好適には、幅及び高さが４ｍｍ×５ｍｍである。
【００３０】
補強部材１４を含む固定長穴の好適な実施形態が図８に示されており、補強部材１４はシート背部２に固定されると共に、シート背部２に形成された穴をとおり表に出される。補強部材１４は独立した板を含み、或いは一般的な裏当板から形成された一群に一体化され、例えばステンレス鋼等の高強度材料から作られる。
【００３１】
図７及び図８に示すように、好適な実施形態において、各補強部材１４は、好適には幅が５．５ｍｍの垂直固定長穴１０’，１０’’及び円形切欠１６を備えるように形成される。固定長穴１０’，１０’’は、フランジ１３が固定長穴１０’，１０’’と垂直方向
に整列させられた時に、フランジ１３が通過し得るように寸法が決められる。円形切欠１６の寸法及び形状は、引締め部材１１が回転させられ得、ひいてはフランジ１３が水平方向に整列させられるようにされている。引締め部材１１は、一旦開放されると、長穴１０’，１０’’の最も低い点まで下降させられる。矩形部分１２の斜めの断面は、好適には約６．４ｍｍであるので、シャンク１２ａは長穴１０’，１０’’の最も低い点で回転させられず、それ故引締め部材１１は引締め荷重に耐えるように固定され得る。
【００３２】
使用に際して、安全シート１は、自動車の既存のシートに固定される。乗員がシート１と相対移動させられるように駆り立てる衝撃時には、ストラップ７，８及び９が緊張させられる。ストラップは、子供を拘束するために、シート上の引締め点に抗する。
【００３３】
図１に示す構成を伴い、ストラップ７は引締め部材１１を引締めると共に、子供の胸を拘束する一方、ストラップ８は長穴５を引締めると共に子供の骨盤部分を拘束し、またストラップ９は、子供がシート１の下部３に沿って滑る（「もぐりこみ」と言われる）のを阻止する。
【００３４】
子供をシート１に乗せる前に、ストラップ７，８及び９は中心固定具１９から離されていると共に、別々に拡げられている。子供がシート１に置かれる。次にハーネスが子供の周りに固定されると共に、引締め部材１１が、子供の肩に最も近い一対の固定長穴１０’，１０’’に置き入れられる。引締め部材１１を確実に垂直配向にし、更に引締め部材のフランジ１３を垂直固定長穴１０’，１０’’を通過させ、且つフランジ１３を凹部１６と係合させるために引締め部材１１を回転させることにより、引締め部材は固定長穴１０’，１０’’に配置される。或いは、引締め部材１１を長穴１０’，１０’’の最も低い点まで下降させるために、引締め部材１１を解放する前に、フランジ１３を水平に整列させるべく、引締め部材１１は円形切欠１６で回転させられる。
【００３５】
子供を取り出すために、固定具１９は解放される。引締め部材１１は外されると共に、異なる大きさの乗員を収容するために、高さが調整されなければならない時のみ、再度位置決めされる。
【００３６】
固定部材１１と関連付けて固定長穴１０’，１０’’の列１０ａ及び１０ｂを設けることにより、異なる大きさの子供が同じ５点安全ハーネスを使用することができる。
Ｒ４４．０４に従い、ハーネスは緊張ストラップ等の中心緊張機器を含まなければならず、この機器は、シート前部の子供の脚の間に位置決めされるセルフロッキング式アジャスタを通過する。引締め部材が乗員に対して正しい高さに設定されると、固定具１９の夫々の要素が合わせて留められると共に、ハーネスの５個の要素全てから弛みが取り除かれるように、緊張ストラップが引っ張られる。
【００３７】
ストラップ７，８及び９は、ウェッビングから作られ得る。シート背部２はアルミニウム又は高強度樹脂材料からなっていてもよい。シートは布地が張られてもよい。シートは、車内に置かれた時に、車の構造部品に載るように、支持脚部を含んでもよい。
【００３８】
ここに説明される安全シート拘束システムは５点ハーネスであるが、例えば３点ハーネス等、拘束ストラップを備えたいかなるチャイルドシートであっても、本発明から利益を受ける。更に、本実施形態は個々のシートを形成するために分割された安全シートを含むが、当然のことながら、これは本発明の範囲をこのような装置に限定するものではない。例えば、子供用ハイチェア、補助いす、又は他の拘束シート等が、本発明から利益を受ける。
【図面の簡単な説明】
【００３９】
【図１】本発明を含む子供用安全シートの斜視図。
【図２】引締め部材を示す斜視図。
【図３】シートの背部に設けられた固定長穴を示す細部斜視図。
【図４】引締め部材が所定位置にある図３の補強部材を示す断面図。
【図５】補助ストラップ及び胸パッドが嵌合された引締め部材を示す図。
【図６】引締め部材の好適な別の実施形態を示す斜視図。
【図７】シートの背部に設けられた固定長穴の好適な別の実施形態を示す細部斜視図。
【図８】引締め部材が所定位置にある図７の補強部材の好適な別の実施形態を示す断面図。
【図１】
2008542107.tif 000003
【図２】
2008542107.tif 000004
【図３】
2008542107.tif 000005
【図４】
2008542107.tif 000006
【図５】
2008542107.tif 000007
【図６】
2008542107.tif 000008
【図７】
2008542107.tif 000009
【図８】
2008542107.tif 000010
【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
シートアセンブリであって、
ａ）下部、背部及び１個以上のストラップを有するシートと、該又は各ストラップは、該背部に設けられた長穴を通り延出すると共に、該ストラップは該アセンブリに配置される一次引締め点を有しており、
ｂ）前記下部及び前記又は各長穴の間に配置される１個以上の孔と、
ｃ）少なくとも１個の引締め部材とを含み、
前記引締め部材は、前記ストラップの二次引締め点を形成するために、前記ストラップの少なくとも１個及び前記孔の少なくとも１個と協働可能である
ことを特徴とするシートアセンブリ。
【請求項２】
前記引締め部材は、乗員対向側から前記シートに固定可能であることを特徴とする請求項１に記載のシートアセンブリ。
【請求項３】
前記引締め部材は補助ストラップを含むことを特徴とする請求項１又は２に記載のシートアセンブリ。
【請求項４】
前記引締め部材は更に、
ｉ）前記ストラップの少なくとも１個と取り外し可能に係合するように適応された第１部分と、
ｉｉ）前記孔の少なくとも１個と取り外し可能に係合するように適応された第２部分とを含むことを特徴とする請求項１乃至３のいずれか１項に記載のシートアセンブリ。
【請求項５】
前記補助ストラップは前記第１部分に取り付けられることを特徴とする請求項３に従属する時の請求項４に記載のシートアセンブリ。
【請求項６】
前記補助ストラップは、前記第１部分に取り外し可能に取り付けられることを特徴とする請求項５に記載のシートアセンブリ。
【請求項７】
前記第１部分は、前記少なくとも１個のストラップが通過する孔を含むことを特徴とする請求項４乃至６のいずれか１項に記載のシートアセンブリ。
【請求項８】
前記第１部分は更に、平坦な引締め面を含むことを特徴とする請求項４乃至７のいずれか１項に記載のシートアセンブリ。
【請求項９】
前記第２部分は、１個以上の孔を第１配向で通過可能であると共に、該孔を第２配向で通過不能であるように形状及び寸法が決められた１個以上の一体化フランジを含むことを特徴とする請求項４乃至８のいずれか１項に記載のシートアセンブリ。
【請求項１０】
前記１個以上の孔は、前記引締め部材の第２部分が、第２配向へ回転させられると共に、該孔の通過及び該引締め部材の更なる回転が不可能である位置へ移動させられる前に、第１配向で通過するように、形状及び寸法が決められることを特徴とする請求項９に記載のシートアセンブリ。
【請求項１１】
前記アセンブリは更に、前記少なくとも１個のストラップに巻回される綿入りスリーブを含むことを特徴とする請求項１乃至１０のいずれか１項に記載のシートアセンブリ。
【請求項１２】
前記二次引締め点は、前記一次引締め点と実質的に同じ垂直面に配置されることを特徴とする請求項１乃至１１のいずれか１項に記載のシートアセンブリ。
【請求項１３】
前記シートアセンブリは、車両の既存のシートにしっかりと且つ取り外しできるように取り付けられる子供用安全シートであることを特徴とする請求項１乃至１２のいずれか１項に記載のシートアセンブリ。
【請求項１４】
前記シートは、複数の独立したシートを設けるように分割されることを特徴とする請求項１乃至１３のいずれか１項に記載のシートアセンブリ。
【請求項１５】
請求項１乃至１４のいずれか１項に記載のシートアセンブリに使用する５点ハーネスであって、該ハーネスはシートの長穴を取り延出可能な少なくとも１個のストラップ及び少なくとも１個の引締め部材を含み、該引締め部材は、該少なくとも１個のストラップと係合する引締め面を有しており、該引締め部材は、該シートの下部及び該長穴の間にある孔と協働可能であるように、該ストラップに沿って移動可能であることを特徴とする５点ハーネス。
【請求項１６】
前記引締め部材は、
ｉ）前記ストラップの少なくとも１個と取り外し可能に係合するように適応された第１部分と、
ｉｉ）前記孔の少なくとも１個と取り外し可能に係合するように適応された第２部分とを含むことを特徴とする請求項１５に記載の５点ハーネス。
【請求項１７】
前記引締め部材は更に、
ｉｉｉ）前記第１部分に取り付けられる補助ストラップ
を含むことを特徴とする請求項１６に記載の５点ハーネス。
【請求項１８】
前記補助ストラップは、前記第１部分に取り外しできるように取り付けられることを特徴とする請求項１７に記載の５点ハーネス。
【請求項１９】
前記第１部分は、前記少なくとも１個のストラップが通過する孔を含むことを特徴とする
請求項１６乃至１８のいずれか１項に記載の５点ハーネス。
【請求項２０】
前記第１部分は更に、平坦な引締め面を含むことを特徴とする請求項１６乃至１９のいずれか１項に記載の５点ハーネス。
【請求項２１】
前記第２部分は、第１配向で前記１個以上の孔を通過できると共に、第２配向で該孔を通過不能であるように、形状及び寸法が決められた１個以上の一体化フランジを含むことを特徴とする請求項１６乃至２０のいずれか１項に記載の５点ハーネス。
【請求項２２】
前記シートに設けられた前記１個以上の孔は、前記引締め部材の前記第２部分が、第２配向に回転させられると共に、該孔の通過及び該引締め部材の更なる回転が不可能である位置へ移動させられる前に、第１配向で通過するように、形状及び寸法が決められることを特徴とする請求項１６乃至２１のいずれか１項に記載の５点ハーネス。
【請求項２３】
前記ハーネスは更に、前記ストラップに巻回された綿入りスリーブを含むことを特徴とする請求項１５乃至２２のいずれか１項に記載の５点ハーネス。
【請求項２４】
請求項１乃至１４のいずれか１項に記載のシートアセンブリと共に、或いは請求項１５乃至２３のいずれか１項に記載の５点ハーネスと共に使用する引締め部材。
【請求項２５】
ｉ）ストラップと取り外し可能に係合するように適応された第１部分と、
ｉｉ）シートアセンブリに設けられた孔と取り外し可能に係合するように適応された第２部分を
含むことを特徴とする請求項２４に記載の引締め部材。
【請求項２６】
ストラップが延出可能な矩形部分と、孔と係合するＴ字バー部を含む請求項２４又は２５に記載の引締め部材。
【請求項２７】
補助ストラップを更に含むことを特徴とする請求項２４又は２５に記載の引締め部材。
【請求項２８】
前記補助ストラップは、前記第１部分に取り付けられることを特徴とする請求項２５に従属する時の請求項２６に記載の引締め部材。
【請求項２９】
前記補助ストラップは、前記第１部分に取り外し可能に取り付けられることを特徴とする請求項２７に記載の引締め部材。
【国際調査報告】
2008542107.tif 000011
2008542107.tif 000012